【手続補正書】
【提出日】平成26年4月11日(2014.4.11)
【手続補正１】
【補正対象書類名】明細書
【補正対象項目名】０００５
【補正方法】変更
【補正の内容】
【０００５】
上記課題を解決するため、本発明に係る印刷装置は、印刷部に供給される用紙を収納する複数のシート収納部を有する印刷装置であって、複数のシート収納部のうちの任意のシート収納部で構成されるシート収納部グループが生成されている他の印刷装置から、当該シート収納部グループを構成する各シート収納部に収納される用紙の情報である用紙情報を受信する受信手段と、前記印刷装置が有する複数のシート収納部それぞれに収納される用紙の情報と、前記受信手段によって受信された用紙情報とに基づいて、前記印刷装置が有する複数のシート収納部のうちの任意のシート収納部を用いて前記他の印刷装置に生成されているシート収納部グループに対応するシート収納部グループを生成する生成手段とを有することを特徴とする。
また、本発明に係る印刷装置は、印刷部に供給される用紙を収納する複数のシート収納部をグループ化するグループ化手段と、他の印刷装置から、当該他の印刷装置が備える複数のシート収納部それぞれに収納されている用紙の情報と、当該他の印刷装置におけるシート収納部のグループ化設定に関する情報とを受信する受信手段と、を有し、前記グループ化手段は、前記受信手段によって受信されたグループ化設定に関する情報と用紙の情報とに基づいて、前記他の印刷装置におけるグループ化設定に対応するようにグループ化を行うことを特徴とする。
また、本発明に係る印刷装置は、印刷部に供給される用紙を収納する複数のシート収納部を有する印刷装置であって、複数のシート収納部のうちの任意のシート収納部で構成されるシート収納部グループが生成されている他の印刷装置から、当該シート収納部グループを構成する各シート収納部に収納される用紙の情報である用紙情報を受信する受信手段と、前記印刷装置が有する複数のシート収納部それぞれに収納される用紙と前記他の印刷装置が有する複数のシート収納部それぞれに収納される用紙とが異なる場合、前記他の印刷装置に生成されているシート収納部グループに対応するシート収納部グループを前記印刷装置において生成しないように制御する制御手段と、を有することを特徴とする。
【手続補正２】
【補正対象書類名】特許請求の範囲
【補正対象項目名】全文
【補正方法】変更
【補正の内容】
【特許請求の範囲】
【請求項１】
印刷部に供給される用紙を収納する複数のシート収納部を有する印刷装置であって、
複数のシート収納部のうちの任意のシート収納部で構成されるシート収納部グループが生成されている他の印刷装置から、当該シート収納部グループを構成する各シート収納部に収納される用紙の情報である用紙情報を受信する受信手段と、
前記印刷装置が有する複数のシート収納部それぞれに収納される用紙の情報と、前記受信手段によって受信された用紙情報とに基づいて、前記印刷装置が有する複数のシート収納部のうちの任意のシート収納部を用いて前記他の印刷装置に生成されているシート収納部グループに対応するシート収納部グループを生成する生成手段と、
を有することを特徴とする印刷装置。
【請求項２】
前記印刷装置が有する複数のシート収納部それぞれに収納される用紙の情報と、前記受信手段によって受信された用紙情報とに基づいて、前記印刷装置が有する複数のシート収納部のうちの任意のシート収納部を用いて前記他の印刷装置に生成されているシート収納部グループに対応するシート収納部グループを生成することが可能か否か判断する判断手段を更に有し、
前記生成手段は、前記判断手段によって可能と判断された場合に生成することを特徴とする請求項１記載の印刷装置。
【請求項３】
前記判断手段によって、生成することが可能ではないと判断された場合、前記印刷装置が有する複数のシート収納部それぞれに収納される用紙の情報によらずに、前記他の印刷装置において生成されているシート収納部グループと同じシート収納部グループを生成する指示を可能にする指示手段を更に有することを特徴とする請求項２記載の印刷装置。
【請求項４】
前記判断手段によって、生成することが可能ではないと判断された場合、複数のシート収納部グループのうち少なくとも一つのシート収納部グループについては他の印刷装置に生成されているシート収納部グループに対応するシート収納部グループが生成可能か否かを判断する第２の判断手段を更に有することを特徴とする請求項１乃至３の何れか一項に記載の印刷装置。
【請求項５】
前記第２の判断手段によって、生成可能と判断された場合、生成可能なシート収納部グループに関する情報をユーザに通知する通知手段を更に有することを特徴とする請求項４記載の印刷装置。
【請求項６】
前記生成手段は、前記通知手段によって通知された情報に基づいてユーザによって選択されたシート収納部グループに関して、前記他の印刷装置に生成されているシート収納部グループに対応するシート収納部グループを生成することを特徴とする請求項５記載の印刷装置。
【請求項７】
通信回線上に接続された複数の印刷装置の中から前記他の印刷装置を選択する選択手段を更に有し、
前記受信手段は、前記選択手段によって選択された前記他の印刷装置から前記用紙情報を受信することを特徴とする請求項１乃至６の何れか一項に記載の印刷装置。
【請求項８】
前記用紙情報は、少なくとも用紙サイズを示す情報又は用紙タイプを示す情報を含むことを特徴とする請求項１乃至７の何れか一項に記載の印刷装置。
【請求項９】
前記受信手段は、前記用紙情報と、前記他の印刷装置においてシート収納部グループを構成する各シート収納部の識別情報とを受信することを特徴とする請求項１乃至８の何れか一項に記載の印刷装置。
【請求項１０】
印刷部に供給される用紙を収納する複数のシート収納部をグループ化するグループ化手段と、
他の印刷装置から、当該他の印刷装置が備える複数のシート収納部それぞれに収納されている用紙の情報と、当該他の印刷装置におけるシート収納部のグループ化設定に関する情報とを受信する受信手段と、
を有し、
前記グループ化手段は、前記受信手段によって受信されたグループ化設定に関する情報と用紙の情報とに基づいて、前記他の印刷装置におけるグループ化設定に対応するようにグループ化を行うことを特徴とする印刷装置。
【請求項１１】
印刷部に供給される用紙を収納する複数のシート収納部を有する印刷装置であって、
複数のシート収納部のうちの任意のシート収納部で構成されるシート収納部グループが生成されている他の印刷装置から、当該シート収納部グループを構成する各シート収納部に収納される用紙の情報である用紙情報を受信する受信手段と、
前記印刷装置が有する複数のシート収納部それぞれに収納される用紙と前記他の印刷装置が有する複数のシート収納部それぞれに収納される用紙とが異なる場合、前記他の印刷装置に生成されているシート収納部グループに対応するシート収納部グループを前記印刷装置において生成しないように制御する制御手段と、
を有することを特徴とする印刷装置。
【請求項１２】
印刷部に供給される用紙を収納する複数のシート収納部を有する印刷装置の制御方法であって、
複数のシート収納部のうちの任意のシート収納部で構成されるシート収納部グループが生成されている他の印刷装置から、当該シート収納部グループを構成する各シート収納部に収納される用紙の情報である用紙情報を受信する受信ステップと、
前記印刷装置が有する複数のシート収納部それぞれに収納される用紙の情報と、前記受信ステップによって受信された用紙情報とに基づいて、前記印刷装置が有する複数のシート収納部のうちの任意のシート収納部を用いて前記他の印刷装置に生成されているシート収納部グループに対応するシート収納部グループを生成する生成ステップと、
を有することを特徴とする制御方法。
【請求項１３】
印刷装置の制御方法であって、
印刷部に供給される用紙を収納する複数のシート収納部をグループ化するグループ化ステップと、
他の印刷装置から、当該他の印刷装置が備える複数のシート収納部それぞれに収納されている用紙の情報と、当該他の印刷装置におけるシート収納部のグループ化設定に関する情報とを受信する受信ステップと、
を有し、
前記グループ化ステップでは、前記受信ステップにおいて受信されたグループ化設定に関する情報と用紙の情報とに基づいて、前記他の印刷装置におけるグループ化設定に対応するようにグループ化を行うことを特徴とする制御方法。
【請求項１４】
印刷部に供給される用紙を収納する複数のシート収納部を有する印刷装置の制御方法であって、
複数のシート収納部のうちの任意のシート収納部で構成されるシート収納部グループが生成されている他の印刷装置から、当該シート収納部グループを構成する各シート収納部に収納される用紙の情報である用紙情報を受信する受信ステップと、
前記印刷装置が有する複数のシート収納部それぞれに収納される用紙と前記他の印刷装置が有する複数のシート収納部それぞれに収納される用紙とが異なる場合、前記他の印刷装置に生成されているシート収納部グループに対応するシート収納部グループを前記印刷装置において生成しないように制御する制御ステップと、
を有することを特徴とする制御方法。
【請求項１５】
請求項１２乃至１４の何れか一項に記載の制御方法の各ステップをコンピュータに実行させるためのコンピュータプログラム。